(57)【要約】    本発明に係る電子機器用ケースにおいて、当該ケースには開口を設け、開口に沿って奥に向かってガイド装置を設け、前記ガイド装置は少なくとも第一ガイド部と第二ガイド部を有し、それぞれ凹形スライドガイドと凸形スライドガイドであり、少なくとも二種類の異なる構造規格のモジュールがガイドされて電子機器の内部に挿入され、更に電子機器との電気的接続が形成される。前記モジュールは開口から挿入され、スライドガイドを介してメインボードの対応するコネクターと組み合わされて接続される。本発明は、現在の交換機器における、多種のネットワーク間の伝送速度と伝送モードをサポートできないという問題を解決できる。当該スライドガイドにより、機器は各種の速度とインターフェースモードのデータ伝送モジュールを共用でき、機器の機能を増強させ、機器の配置を増加させ、構造がコンパクトになり、機器はより柔軟に、急速に変化している市場の要求に適応できることになる。また、本発明は当該ケースを用いたネットワーク交換機器に関する。【選択図】図2A
2008538460.tif 000002
【特許請求の範囲】
【請求項１】
電子機器用ケースであって、当該ケースには開口を設け、かつ開口に沿って奥に向かってガイド装置を設け、前記ガイド装置は少なくとも第一ガイド部と第二ガイド部を有し、少なくとも二種類の異なる構造規格のモジュールがガイドされて電子機器の内部に挿入され、電子機器との電気的接続が形成されることを特徴とする電子機器用ケース。
【請求項２】
前記第一ガイド部は少なくとも一つの凹形スライドガイドを含み、前記第二ガイド部は少なくとも一つの凸形スライドガイドを含み、前記凹形スライドガイドと凸形スライドガイドとは一つの側壁を共用することを特徴とする請求項1に記載の電子機器用ケース。
【請求項３】
前記ガイド装置は凹形スライドガイドと凸形スライドガイドを支持するフレームを更に含むことを特徴とする請求項2に記載の電子機器用ケース。
【請求項４】
前記凹形スライドガイドと凸形スライドガイドは、嵌め込み方式で前記フレームに固定されていることを特徴とする請求項3に記載の電子機器用ケース。
【請求項５】
前記フレームの形状は、枠形または角形であり、前記フレームには放熱穴が設けられていることを特徴とする請求項4に記載の電子機器用ケース。
【請求項６】
前記フレームは、かしめ、溶接又はネジ締め付けの方式でケース内に固定されていることを特徴とする請求項3又は5に記載の電子機器用ケース。
【請求項７】
前記第一ガイド部は、電子機器用ケース内にあるメインボード或いはモジュールボードに形成されたU形開口の周縁を含み、前記第二ガイド部は一対の凹形スライドガイドであり、前記凹形スライドガイドは前記U形開口の二つの相対する周縁に取り付けられていることを特徴とする請求項1に記載の電子機器用ケース。
【請求項８】
前記凹形スライドガイドは、嵌め込み、溶接、或いはネジ締め付けの方式で電子機器用ケース内にあるメインボード或いはモジュールボードに取り付けられていることを特徴とする請求項7に記載の電子機器用ケース。
【請求項９】
前記第一ガイド部及び第二ガイド部は、いずれも凸形スライドガイド或いは凹形スライドガイドであることを特徴とする請求項1に記載の電子機器用ケース。
【請求項１０】
前記電子機器用ケースはイーサネット交換機器のケースであり、前記ガイド装置によりガイドされるモジュールは標準の10ギガビットイーサネットインターフェースの小型差込み式トランシーバのモジュールボード、スタックモジュールボード或いは10ギガビットイーサネットインターフェースのトランシーバのパッケージモジュールを含むことを特徴とする請求項1に記載の電子機器用ケース。
【請求項１１】
ネットワーク交換機器であって、請求項1ないし請求項10のいずれか一項に記載の電子機器用ケースを備えることを特徴とするネットワーク交換機器。
【請求項１２】
コネクターを更に備え、前記モジュールはコネクターを介して機器内部に挿入され、機器との電気的接続が形成されることを特徴とする請求項11に記載のネットワーク交換機器。
【請求項１３】
前記コネクターに適合するモジュールは、標準の10ギガビットイーサネットインターフェースの小型差込み式トランシーバのモジュールボード、スタックモジュールボード或いは10ギガビットイーサネットインターフェースのトランシーバのパッケージモジュールを含むことを特徴とする請求項12に記載のネットワーク交換機器。
【請求項１４】
ネットワーク機器であって、少なくとも二つの異なる構造規格のインターフェースモジュールを挿入する一つのスロットを含むことを特徴とするネットワーク機器。
【請求項１５】
前記スロットは二つのスライドガイドを含むことを特徴とする請求項14に記載のネットワーク機器。
【請求項１６】
前記スロットは、凹形溝を有するインターフェースモジュールに組み合わせられる一つの凸形スライドガイド、及び凸形溝を有するインターフェースモジュールに組み合わせられる一つの凹形スライドガイドを含むことを特徴とする請求項15に記載のネットワーク機器。
【請求項１７】
前記スロットは、異なるインターフェースモジュールの凹形溝に組み合わせられる二つの凸形スライドガイドを含み、或いは異なるインターフェースモジュールの凸形溝に組み合わせられる二つの凹形スライドガイドを含むことを特徴とする請求項15に記載のネットワーク機器。
【請求項１８】
前記二つのスライドガイドは、互いに平行であり、上下に分けて設けられていることを特徴とする請求項15に記載のネットワーク機器。
【請求項１９】
前記二つのスライドガイドは、それぞれ異なる装置に設けられていることを特徴とする請求項15に記載のネットワーク機器。
【請求項２０】
前記二つのスライドガイドはそれぞれ凹形スライドガイドと凸形スライドガイドであり、そのうち、凸形スライドガイドはネットワーク機器内の回路ボードにあるU形開口の両辺から形成され、前記凹形スライドガイドはネットワーク機器ケースに設けられたフレームに開設した一つの縦長の開口から形成されることを特徴とする請求項19に記載のネットワーク機器。
【発明の詳細な説明】
【技術分野】
【０００１】
本発明は、電子機器用ケース及びネットワーク交換機器に関するものである。
【背景技術】
【０００２】
情報ネットワークの構築により、任意のネットワークユーザーでもネットワーク中の他のユーザーに接続でき、ネットワーク中の情報の流れに対して管理することで、ユーザーがお互いに通信することができ、情報の交換などを行うことができる。ネットワークには、多種の重要な機器を存在している。イーサネット（登録商標）の交換機は、通信ネットワークの重要な機器であり、多種のイーサネットのインターフェースタイプのワイヤスピードの伝送機能を提供し、ネットワーク内部とネットワークとの間のデータ伝送及び交換を完成する。
【０００３】
図1Aの、ケースカバーを外した後のイーサネット交換機の内部構成の構造図を参照する。図1Aにおいて、前記イーサネット交換機の内部構成は、ケース1（ケースカバーを含まず）、ケース内に設けられたメインボード2、電源ユニット3、及び放熱ファン6を備えている。ケースの前部には、メインボード2にあるコネクターが開口から張り出している。そして、前記コネクターは、ネットワークポートコネクター4と、比較的に高い速度を提供するネットワークポート或いは光ポートコネクター5とを含む。前記ネットワークポートコネクター4は、一般的にローカルエリアネットワーク内部に若干の内部交換ポート、即ちネットワーク内の交換ポートを提供する。前記ネットワーク内の交換ポートは、数が比較的に多くかつ前記ポートの速度が高くない。一般的には、10M/bps或いは100M/bpsであり、1000M/bpsに達することも可能である。具体的に図1Aに示すように、このようなネットワーク内の交換ポートは、合計24個あり、また、ケースのスペースに応じてコネクターの数を増加することによりネットワーク内の交換ポートの数を48個に増加することができる。前記比較的に高い速度を提供するネットワークポート或いは光ポートコネクター5は、一般的にローカルネットワークと他のネットワーク或いはコアネットワークとの間のデータ伝送及び交換に用いられており、即ちネットワーク間の交換ポートである。比較的に高い速度を提供するネットワークポート或いは光ポートコネクター5は、ローカルネットワークの対外伝送チャネルであるため、一般的に当該ネットワークポート或いは光ポートコネクターは、速度が比較的に高く、数が比較的に少ない。図1Aに示すような光ポートコネクター5のネットワーク間の交換ポートの数は4個である。現有イーサネット交換機のネットワーク内のポートとネットワーク間のポートの正面図について、詳しくは図1Bを参照する。しかし、現在のイーサネット交換機は、一部のユーザーの要求を満たすことができない。例えば、ユーザーは10G以上のネットワーク間の交換ポートが必要とするが、現在のイーサネットの交換機のネットワーク間のポートは一つの形態のポートしかサポートすることができない。即ち、光ポート或いは高速ネットワークポートしかサポートすることができなく、10G以上のネットワーク間のポートをサポートできない。
【０００４】
前記の分析からわかるように、現有技術のイーサネット交換機のケースが提供する開口は、一つの形態のネットワーク間の交換ポートにしか整合することができなく、多種の形態及び速度のネットワーク間の交換ポートに整合することができない。従って、現有イーサネット交換機の構造は簡単であり、一般的に伝送速度が10M/bps〜1000M/bpsであるデータ伝送しか提供できない。1000M/bps以上の伝送速度に対しては、伝送を行うことができない。何故なら、現有イーサネット交換機器は、サポートできる高速のネットワーク間の伝送ポートを有していないためである。現在、前記イーサネット交換機は、最大48個のネットワーク内の交換ポート、及び2〜4個単一の高速ネットワーク間のポートを提供することができるが、ネットワーク間の多種の速度のデータ伝送及び交換要求をサポートすることができず、ユーザーの要求を満たすことができない。現在ネットワーク間の交換インターフェースの形態は、幾つかに限られているため、前記交換機器（例えば、イーサネット交換機）は、一種のネットワーク間のインターフェース形態、即ち、単一形態の光ポート或いは高速ネットワークポートしかない。前記光ポート或いは高速ネットワークポートは、現在しだいに現れつつある各種の10G光モジュールのインターフェースに対して、有効なサポートを提供することができず、配置が不便である。
【発明の開示】
【発明が解決しようとする課題】
【０００５】
本発明において解決しようとする技術課題は、現在の交換機器において、多種ネットワーク間の伝送速度及び伝送モードをサポートできないという問題を解決できる電子機器用ケース及びネットワーク交換機器を提供することである。
【課題を解決するための手段】
【０００６】
前記の問題を解決するために、本発明は、電子機器用ケースであって、当該ケースには開口を設け、かつ開口に沿って奥に向かってガイド装置を設け、前記ガイド装置は少なくとも第一ガイド部と第二ガイド部を有し、少なくとも二種類の異なる構造規格のモジュールがガイドされて電子機器の内部に挿入され、更に電子機器との電気的接続が形成される電子機器用ケースを提供する。
【０００７】
好ましくは、前記第一ガイド部は少なくとも一つの凹形スライドガイドを含み、前記第二ガイド部は少なくとも一つの凸形スライドガイドを含み、前記凹形スライドガイドと凸形スライドガイドとは一つの側壁を共用する。
【０００８】
好ましくは、前記ガイド装置は凹形スライドガイドと凸形スライドガイドを支持するフレームを更に含む。
【０００９】
好ましくは、前記凹形スライドガイドと凸形スライドガイドとは嵌め込み方式で前記フレームに固定されている。
【００１０】
好ましくは、前記フレームの形状は枠形または角形であり、前記フレームには放熱穴が設けられている。
【００１１】
好ましくは、前記フレームは、かしめ、溶接又はネジ締め付けの方式でケース内に固定されている。
【００１２】
好ましくは、前記第一ガイド部は、電子機器用ケース内にあるメインボード或いはモジュールボードに形成されたU形開口の周縁を含み、前記第二ガイド部は一対の凹形スライドガイドであり、前記凹形スライドガイドは前記U形開口の二つの相対する周縁に取り付けられている。
【００１３】
好ましくは、前記凹形スライドガイドは、嵌め込み、溶接、或いはネジ締め付けの方式で電子機器用ケース内にあるメインボード或いはモジュールボードに取り付けられている。
【００１４】
好ましくは、前記第一ガイド部及び第二ガイド部は、いずれも凸形スライドガイド、或いは凹形スライドガイドである。
【００１５】
好ましくは、前記電子機器用ケースはイーサネット交換機器のケースであり、前記ガイド装置によりガイドされるモジュールは標準の10ギガビットイーサネットインターフェースの小型プラガブルトランシーバのモジュールボード、スタックモジュールボード或いは10ギガビットイーサネットインターフェースのトランシーバのパッケージモジュールを含む。
【００１６】
本発明が提供するネットワーク交換機器は、前記した電子機器用ケースを備えている。
【００１７】
好ましくは、前記ネットワーク交換機器はコネクターを更に備え、前記モジュールはコネクターを介して機器内部に挿入され、機器との電気的接続が形成される。
【００１８】
好ましくは、前記コネクターに適合するモジュールは、標準の10ギガビットイーサネットインターフェースの小型プラガブルトランシーバのモジュールボード、スタックモジュールボード或いは10ギガビットイーサネットインターフェースのトランシーバのパッケージモジュールを含む。
【００１９】
本発明が提供する他のネットワーク機器は、少なくとも二種類の異なる構造規格のインターフェースモジュールを挿入する一つのスロットを含む。
【００２０】
好ましくは、前記スロットは二つのスライドガイドを含む。
【００２１】
好ましくは、前記スロットは、凹形溝を有するインターフェースモジュールに組み合わせられる一つの凸形スライドガイド、及び凸形溝を有するインターフェースモジュールに組み合わせられる一つの凹形スライドガイドを含む。
【００２２】
好ましくは、前記スロットは、異なるインターフェースモジュールの凹形溝に組み合わせられる二つの凸形スライドガイドを含み、或いは異なるインターフェースモジュールの凸形溝に組み合わせられる二つの凹形スライドガイドを含む。
【００２３】
好ましくは、前記二つのスライドガイドは互いに平行であり、上下に分けて設けられている。
【００２４】
好ましくは、前記二つのスライドガイドはそれぞれ異なる装置に設けられている。
【００２５】
好ましくは、前記二つのスライドガイドはそれぞれ凹形スライドガイドと凸形スライドガイドであり、そのうち、凸形スライドガイドはネットワーク機器内の回路ボードにあるU形開口の両辺から形成され、前記凹形スライドガイドはネットワーク機器ケースに設けられたフレームに開設した一つの縦長の開口から形成される。
【００２６】
従来技術に比べると、本発明は以下のような有益な効果を有する。即ち：ケースには、少なくとも一つの開口を設け、開口に沿って奥に向かってガイド装置を設け、前記ガイド装置は少なくとも第一ガイド部と第二ガイド部を有し、少なくとも二種類の異なる構造規格のモジュールがガイドされて電子機器内部に挿入され、更に電子機器との電気的接続が形成される。このため、ケースは、少なくとも二種類の異なるインターフェースモードと速度を有するネットワーク間の交換ポートに整合することができ、ネットワーク交換機器は、現在の交換機における多種ネットワーク間の伝送速度と伝送モードをサポートできないという問題を解決できる。
【００２７】
本発明の好ましい形態において、機器にはモジュール（即ち高速ネットワーク間のポート）に配合するコネクター、機器のケースに固定された互換性のスライドガイド（凹形/凸形スライドガイド）、及びスライドガイドを支持するフレームが設けられており、前記高速ネットワーク間のポートは開口から挿入され、スライドガイドを介して電子機器に対応するコネクターに組み合わされて接続される。当該スライドガイドにより、機器は各種の速度とインターフェースモードのデータ伝送モジュールに共用でき、機器の機能を増強させ、機器の配置を増加させ、構造がコンパクトになり、機器はより柔軟に、急速に変化している市場の要求に適応できることになる。
【発明を実施するための最良の形態】
【００２８】
本発明に記載の電子機器について、イーサネット交換機を例として説明する。
本発明は、主に交換機器の構造に、多種ネットワーク間の伝送速度及び伝送モードをサポートするインターフェースを加えたものである。即ち、本発明は、現有イーサネットの交換機を基にして、そのケースに少なくとも一つの開口を設け、開口に対応するケース内にガイド装置を設けている。前記ガイド装置は、フレーム及びスライドガイドを含み、前記スライドガイドはフレームに固定され接続されている。機器ケースのメインボードには、少なくとも一つのモジュール（本発明でいうモジュールとは、高速ネットワーク間のポート或いはその他類似なポートである。以下において同様であり、再び述べない）に整合できるコネクターが増加されている。
【００２９】
例えば、10ギガビットイーサネットのインターフェースの小型プラガブルトランシーバ（XFP,10Gigabit Small Form Factor Pluggable）モジュールボード、スタックモジュールボード、10ギガビットイーサネットのインターフェースのトランシーバパッケージ（XENPAK,10Gigabit EtherNet Transceiver PAcKage）モジュール或いはその他類似のモジュール等高速ネットワーク間のポートは、ケースの開口においてスライドガイドを介してメインボード上のコネクターに接続されて、多種ネットワーク間の伝送速度及び伝送モードを有効にサポートすることで、交換機器の機能を増強するとともに、構造的にコンパクトにして、急速に変化しているネットワークの変化及び市場の要求に交換機器を適応させている。
【００３０】
理解されるように、本発明に記載の開口はケース内の空間に応じてケースの任意の壁に設置できることである。例えば、側壁に設置してもよく、前壁にスペースがある場合そこに設置することもできる。現在の交換機によれば、ケースの後壁に設置するのが最適である。その理由は、ケースの前壁にはすでに複数の低速ネットワーク内のポートと中高速ネットワーク間のポートとが設けられているため、既に他の高速ネットワーク間のポート、例えば10Gのポートを設ける余分なスペースがないからである。さらに、前記高速ネットワーク間のポートの体積は比較的に大きいため、それがメインボードのコネクターと速やかに整合できるかどうかのも高速ネットワーク間のポートを設計する際に考慮すべきものである。本発明において、何故それをケースに設けている（最適には後壁に設ける）のか、その原因は、即ち、現有のイーサネットの交換機構造から分かるように、メインボードはケースの比較的前壁に近づけられ、現有ネットワーク内とネットワーク間のポートに緊密に整合するようにされ、メインボードの他側（ケースの後壁に近い側）においては、ケースの後壁から相対的にやや離れているが、体積がやや大きい高速ネットワーク間のポートを速やかに且つ安全にメインボードの対応するコネクターに整合するために、本発明は、この距離を利用してケース内にスライドガイドとフレームを取り付けて、高速ネットワーク間のポートを速やかにコネクターに整合させ、快速でプラガブルなモードをサポートできるようにする。
【００３１】
本発明に記載の電子機器用ケースは少なくとも以下のものを含む。即ち：ケースに少なくとも一つの開口を設けており、開口に沿って奥に向かって一つのガイド装置を設けており、前記ガイド装置は少なくとも第一ガイド部と第二ガイド部とを有し、少なくとも二種類の異なる構造規格のモジュールがガイドされて電子機器の内部に挿入され、更に電子機器との電気的接続が形成される。前記ガイド装置は、第一ガイド部と第二ガイド部をを支持するフレームを更に備える。前記第一ガイド部は凹形スライドガイドであり、第二ガイド部は凸形スライドガイドであり、且つ前記凹形スライドガイドと凸形スライドガイドとは一つの側壁を共用し、或いは、前記第一ガイド部或いは第二ガイド部は、すべて凹形スライドガイド或いは凸形スライドガイドである。
【００３２】
以下、具体的には図面を合わせて、本発明に対してさらに説明する。ここでは、イーサネット交換機を例として説明する。
図2A及び図2Bの、それぞれ本発明の最適な実施例のイーサネット交換機の内部構造の模式図及び背面図、を参照する。ここでは、ケースの後壁に二つの開口がある場合を例とするが、二つの開口に限らず、ケースのスペースが許す限り、一つや三つ等を設置することもできる。図2Aにおいて、前記内部構造は、ケース11の後壁に設けられた二つの開口（図示せず）と；ケース内のメインボード12上に設けられた二つのコネクター121及び122と；電源ユニット13、ファン14、及びケースの前壁に設けられた常用の複数の中低速ネットワーク内のポート15といくつかの中高速ネットワーク間のポート16と；ケースに設けられた少なくとも一つの高速ネットワーク間のポート（ここでは、二つの高速ネットワーク間ポートを例とする）とを備えている。そのうち、前記高速ネットワーク間のポートはコネクター121及び／又は122と配合して用いられる。前記高速ネットワーク間のポートは、10GのXFPのモジュールボード171及び／又は10Gのスタックモジュールボード172及び／又は標準の10GのXENPAKのモジュール173、及び高速ネットワーク間のポートを容易に取り付けるための少なくとも一対のスライドガイド174（凹形スライドガイドと凸形スライドガイドを含む）とスライドガイドを支持するフレーム175とを含む。前記モジュールは、ケース上の開口から挿入され、スライドガイドに沿ってメインボードにあるコネクターに合わせて接続する。異なる種類の10Gのモジュールは、任意の組み合わせでケースにある少なくとも一つ（本発明は二つの開口である）の開口から挿入され、対応するコネクター121と122を組み合わせて10Gモジュールのハードウェア接続を完成する。これらの10Gモジュールインターフェースを介して、機器は10Gの速度と異なるインターフェースモードでネットワーク間のデータ交換及び伝送を行い、本発明に記載のイーサネット交換機の背面図は、詳しくは図2Bを参照する。
【００３３】
図3の、本発明において10Gモジュールを取り付けた後の内部構造を示す模式図を参照する。本発明は、二対のフレーム及び二対のスライドガイドを例として説明するが、このような装置に限らず、ケースのスペースに応じて、一対のフレームとスライドガイドだけを備えるか、二対のフレームと二つのスライドガイド或いは複数のフレームとスライドガイドを備えてもよく、ユーザーの要求に応じて決めることもできる。メインボードには、対応するコネクターを配置して、高速ネットワーク間のインターフェースをメインボードに接続できるようにする。その取付過程は下記のようになる。即ち：前記10GのXFPモジュールボード、10Gのスタックモジュールボード、或いは標準の10GのXENPAKモジュールのうち、任意の二つのモジュール或いはボードを、ケースの開口から挿入し、スライドガイドを介してメインボード上の対応するコネクターに速やかに安定して接続する。これにより、ローカルネットワークと他のネットワーク或いはコアネットワーク間のデータの伝送と交換が行われ、さらに本発明に記載のイーサネット交換機の構造は更に多くの高速ネットワーク間のポートをサポートすることができる。
【００３４】
ここで、本発明においてスライドガイドとスライドガイドを支持するフレームとを設けたのは、ケースの後部にある高速ネットワーク間のポート（例えば10Gのモジュール）の抜き差しを便利にするためである。本発明に記載のスライドガイドを設けることにより、ユーザーが必要とする10Gのモジュールが開口を介して速やかにかつ安定して挿入され、スライドガイドを介してそれとメインボードのコネクターとのハードウェア接続が実現される。
【００３５】
図4と図5を併せて参照する。図4は本発明に記載のガイド装置（スライドガイドとスライドガイドを支持するフレーム）の構造図である。前記ガイド装置は、スライドガイド174とスライドガイドを支持するフレーム175とを備えており、前記フレームの形状は枠形、角形、或いは半円柱形であり、少なくとも片側は水平であり、水平側に接する両側アームはスライドガイドを固定するためのものである。その形状は、具体的にケースのスペースにより設定する。また、前記フレームには放熱穴を設けてもよい、その放熱穴の形状は、例えば円形、楕円形、角形など任意の形状であり、ここでは一つずつ紹介しない。スライドガイドをフレームに固定して接続するために、以下には双スライドガイド及び双フレームを例として説明する。前記スライドガイドを嵌め込む接続の方法によりフレームに固定する過程は、詳しくは図5を参照し、具体的には、スライドガイド174の弾性クリップ構造24をフレーム175の穴25に挿入すればよい。最後に、ユーザーの要求に応じて、必要な二つの10Gのモジュール或いはボードをケースの開口から挿入し、スライドガイドを介してメインボードの対応するコネクターに速やかにかつ安定して接続することができる。
【００３６】
また、前記スライドガイドをフレームに固定することは、双スライドガイド及びそれに対応するフレームにそれぞれ少なくとも二つの位置決め穴を設け、位置決め柱を用いて前記スライドガイドをそれぞれ位置決め穴を介して前記対応するフレームに固定して接続する（図示せず）。前記位置決め穴はスクリュー穴或いは貫通穴であり、前記位置決め柱は前記スクリュー穴に配合するスクリュー或いは貫通穴に組み合わさるスムーズロッドである。しかし、本発明は位置決め柱で位置決め穴を介してスライドガイドをフレームに固定する形態に限らない。そして、固定して接続されたスライドガイド及びフレームを再びケースに固定して接続し、まず前記フレームにそれぞれ少なくとも二つの位置決め穴を設け、ケースのフレームの一側に対応する所にそれと相応する位置決め穴を設け、位置決め柱を用いて位置決め穴を介して、二つのスライドガイドを持つフレームをそれぞれケースに固定して接続する；次に、ユーザーの要求に応じて、必要な二つの10Gのモジュール或いはボードをケースの開口から挿入し、スライドガイドを介してメインボードの相応するコネクターに速やかにかつ安定して接続する。
【００３７】
図6の、本発明のイーサネット交換機の構造におけるスライドガイドの構造を示す模式図を参照する。図に示すように、174はスライドガイドであり、173はXENPAKモジュールであり、172はXFPモジュールボード或いはスタックモジュールボードであり、21は凹形スライドガイドであり、22は凸形スライドガイドである。前記スライドガイド174は多機能スライドガイドであり、即ち凸形スライドガイド22と凹形スライドガイド21とを含む。前記凸形スライドガイド22と凹形スライドガイド21は一つの側面23を共用し、前記側面23はスライドガイドを固定するために用いることができる。また、XENPAKモジュールは商用モジュールであり、そのスライドガイドは凹形溝であるため、必ず凸形スライドガイドと組み合わせて使用されなければならないが、本発明に言及された他のモジュール（例えばXFP或いはスタックモジュールボード或いはその他の類似するモジュール）はシングルボード型であり、凹形スライドガイドと組み合わせて使用すべきである。
【００３８】
実際には、本発明に記載のガイド装置の第一及び第二ガイド部は、凹形スライドガイド及び凸形スライドガイドでもよく、また全て二つとも凹形スライドガイド或いは凸形スライドガイドでもよく、或いは必要に応じてガイド装置に複数のガイド部を設け、ガイド部は凹凸形スライドガイドのいずれを選択することもでき、その実現原理は前記と同様であり、ここで贅言しない。
【００３９】
また、本発明では、開口から10Gモジュールを抜き差しするのを容易にするために、さらに他のガイド装置を設計した。詳しくは図7の、本発明のイーサネット交換機の他の内部構造の斜視図を参照する。本実施例はイーサネット交換機を例とし、図7に示すように、前記イーサネット交換機の内部構造が前記図2Aと同じ部分については、ここで記述せず、具体的には図2を参照する。ここでは主として異なる部分を述べる。イーサネット交換機のメインボードにおいて開口に対応する部分にU形開口を形成する（図示せず）、U形開口の周縁をガイド装置の第一ガイド部とし、即ち前記U形開口の周縁を凸形溝とする。同時に、前記メインボードに一対の凹形スライドガイドをさらに増加し（前記凹形スライドガイドの材質は不定であり、任意の材料でよい、例えば金属或いはプラスチックなど）、前記凹形スライドガイドは、嵌め込み方式、溶接或いはネジ締め付けなどでメインボードに固定して取り付けられる。前記スライドガイドはガイドの役割を果たすことができ、後に挿入されるモジュール或いはモジュールボードをメインボードのコネクターに速やかにかつ精度良く配合させることができる。モジュール或いはモジュールボードを本発明に記載のケース内部に取り付ける模式図は、詳しくは図8を参照のこと。
【００４０】
図9と図10の、それぞれ本発明のスライドガイドを有するメインボードの模式図、及び前記モジュールを前記ガイド装置の互換性の双スライドガイドに取り付けた際の模式図を併せて参照する。図9に示すように、前記メインボードのガイド装置は、少なくとも第一ガイド部及び第二ガイド部を含み、前記メインボードの周縁には奥に向かってU形開口を設け、前記第一ガイド部は少なくとも前記U形開口の二つの相対する周縁から形成された一対の凸形スライドガイド211を含み、前記第二ガイド部は少なくとも一対の凹形スライドガイド212を含む。前記凹形スライドガイド212は嵌め込み、溶接或いはネジ締め付けの方式でメインボードに取り付けられ、前記凸形スライドガイド211と凹形スライドガイド212は互換性を有する双スライドガイドを構成する。前記モジュールは前記スライドガイドを介してメインボードのコネクターに速やかにかつ精度よく取り付けられ、前記モジュールを前記スライドガイドに取り付ける概略は図10に示すようであり，前記FXPモジュールボード（或いはスタックモジュールボード）171をメインボードの凹形スライドガイド212に挿入し、前記XENPAKモジュール173をメインボードのU形に挿入する。前記U形の周縁は凸形スライドガイド211である。
【００４１】
当然、本発明に記載の凹形スライドガイドは、メインボードに取り付けられるだけではなく、その他のモジュールボードに取り付けられることができる。図11の、本発明のスライドガイドを有するモジュールボードを示す模式図に示すように、前記モジュールボードは少なくとも一対の凹形スライドガイドを含み、前記凹形スライドガイドは嵌め込み、溶接或いはネジ締め付けの方式でモジュールボードに固定され、前記凹形スライドガイドの凹形溝はモジュールボードの周縁と同じ方向であり、モジュールを速やかに抜き差しするのに便利である。また図12の、前記凹形スライドガイドを有するモジュールボードとメインボードとを配合した際の模式図を参考にすると、図に示すように、前記XFPモジュールボード（或いはスタックモジュールボード）171にある凹形スライドガイド212をメインボード12の切口周縁に組み合わせて取り付ける場合がある。このような方法によっても、ユーザーが標準のモジュールを速やかに抜き差しするのに便利に用いることができる。
【００４２】
また、本発明の実際に応用において、もしユーザーが高速ネットワーク間のポート（例えば10Gのモジュール）の配置を必要としない場合は、ケースの開口をパネルで塞げばよい。そうすると現在の電子機器のケースの配置と同様になる。
【００４３】
また、本発明は下記のように実現してもよい。即ち、ネットワークの機器は少なくとも二つの異なる構造規格のインターフェースモジュールを挿入する一つのスロットを含む。
【００４４】
このスロットは、スライドガイドを有することにより、インターフェースモジュールの挿入をガイドすることができ、スライドガイドの具体的にな実施形態は前述と同様或いは類似であるため、ここでは贅言しない。
【００４５】
以上に記載されたのは、本発明の好ましい実施形態であり、指摘すべきことは、本技術分野の一般的な技術者にとって、本発明の原理を離脱しない前提で、若干の改善及び修飾を行うことができ、これらの改善と修飾は、本発明の保護範囲に属すとみなされるべきである。
【図面の簡単な説明】
【００４６】
【図１Ａ】現在の技術におけるイーサネット交換機器の内部構造の斜視図である。
【図１Ｂ】現在の技術におけるイーサネット交換機器の内部構造の正面図である。
【図２Ａ】それぞれ本発明のイーサネット交換機の内部構造の斜視図である。
【図２Ｂ】それぞれ本発明のイーサネット交換機の内部構造の背面図である。
【図３】本発明の実施例における10Gのモジュールを取り付けた後の内部構造を示す模式図である。
【図４】本発明に記載のガイド装置の構造を示す模式図である。
【図５】本発明の嵌め込み方式でスライドガイドをフレームに固定する構造を示す模式図である。
【図６】本発明のイーサネット交換機の構造におけるスライドガイドの構造を示す模式図である。
【図７】本発明のイーサネット交換機の他の内部構造の斜視図である。
【図８】本発明の実施例における10Gのモジュールを取り付けた後の他の内部構造を示す模式図である。
【図９】本発明のスライドガイドを有するメインボードを示す模式図である。
【図１０】本発明の前記モジュールを前記ガイド装置の互換性の双スライドガイドに取り付けている際の模式図である。
【図１１】本発明に記載の他のガイド装置をモジュールに取り付けている構造を示す模式図である。
【図１２】本発明の前記凹形スライドガイドを有するモジュールボードとメインボードとを配合している場合の模式図である。
【図１Ａ】
2008538460.tif 000003
【図１Ｂ】
2008538460.tif 000004
【図２Ａ】
2008538460.tif 000005
【図２Ｂ】
2008538460.tif 000006
【図３】
2008538460.tif 000007
【図４】
2008538460.tif 000008
【図５】
2008538460.tif 000009
【図６】
2008538460.tif 000010
【図７】
2008538460.tif 000011
【図８】
2008538460.tif 000012
【図９】
2008538460.tif 000013
【図１０】
2008538460.tif 000014
【図１１】
2008538460.tif 000015
【図１２】
2008538460.tif 000016
【国際調査報告】
2008538460.tif 000017
2008538460.tif 000018
2008538460.tif 000019
2008538460.tif 000020
2008538460.tif 000021
2008538460.tif 000022